(57)【要約】【課題】貸球払出装置と賞球払出装置とを別個の装置として一つの遊技機内に組み込む場合に、両装置を同一構造且つ同一数の部品群から構成してコストダウン、在庫管理の容易化を実現すると共に、両装置を連結一体化して使用することにより、球払出装置のコンパクト化を実現できる。【解決手段】貸球払出装置７と、賞球払出装置８と、を備えたパチンコ遊技機において、貸球払出装置及び賞球払出装置は、夫々、一つのモータと、同形状且つ同数の部品群により構成され、貸球払出装置は、貸球が通過する第１の貸球通路２１と、第１の貸球通路内に配置した貸球の払出機構部２２と、第１の貸球通路とは独立し且つ賞球が通過する第１の賞球通路２３と、を備え、賞球払出装置は、賞球が通過する第２の賞球通路４１と、第２の賞球通路内に配置した賞球の払出機構部４２と、第２の賞球通路とは独立し且つ貸球が通過する第２の貸球通路４３と、を備えている。【選択図】      図２
2004329506.tif 000002
【特許請求の範囲】
【請求項１】
貸球要求信号により作動して貸球を払い出す貸球払出装置と、賞球要求信号により作動して賞球を払い出す賞球払出装置と、を備えたパチンコ遊技機において、
前記貸球払出装置及び賞球払出装置は、夫々、一つのモータと、同形状且つ同数の部品群により構成され、
前記貸球払出装置は、貸球が通過する第１の貸球通路と、該第１の貸球通路内に配置した貸球の払出機構部と、該第１の貸球通路とは独立し且つ賞球が通過する第１の賞球通路と、を備え、
前記賞球払出装置は、賞球が通過する第２の賞球通路と、該第２の賞球通路内に配置した賞球の払出機構部と、該第２の賞球通路とは独立し且つ貸球が通過する第２の貸球通路と、を備えていることを特徴とするパチンコ遊技機における球払出装置。
【請求項２】
前記貸球払出装置と前記賞球払出装置とを連結して、貸球払出装置に設けた第１の貸球通路と賞球払出装置に設けた第２の貸球通路とを連通させると共に、貸球払出装置に設けた第１の賞球通路と賞球払出装置に設けた第２の賞球通路とを連通させたことを特徴とする請求項１に記載のパチンコ遊技機における球払出装置。
【請求項３】
前記貸球払出装置は、前記第１の貸球通路及び第１の賞球通路を内部に有するとともに外部に前記モータを取り付けた第１のケースを備えており、
前記賞球払出装置は、前記第２の賞球通路及び第２の貸球通路を内部に有すると共に外部に前記モータを取り付けた第２のケースを備えており、
前記貸球及び賞球の払出機構部は、夫々、第１の貸球通路及び第２の賞球通路内に収容されると共に前記モータの出力軸に中心部を支持されて回転駆動される回転部材と、を備え、
前記第１及び第２のケースには、夫々、前記第１の貸球通路、又は第２の賞球通路と並行に、第１の賞球通路、又は第２の貸球通路が貫通形成されていることを特徴とする請求項１又は２に記載のパチンコ遊技機における球払出装置。
【請求項４】
前記第１及び第２のケースは、夫々、前記第１の貸球通路及び第１の賞球通路、又は、前記第２の賞球通路及び第２の貸球通路を形成するための凹所を備えたケース本体片と、前記第１の貸球通路又は第２の賞球通路となる凹所内に夫々前記払出機構部を収容した状態でこれを閉止するケース蓋片と、を備え、
前記ケース本体片と前記ケース蓋片の各外側面には、夫々、前記モータを着脱自在に取り付けるモータ着座部を備えていることを特徴とする請求項１乃至３に記載のパチンコ遊技機における球払出装置。
【発明の詳細な説明】
【０００１】
【発明の属する技術分野】
本発明は賞球払出装置と貸球払出装置を共に備えたパチンコ遊技機の改良に関し、特に両払出装置を同一部品群から成る同一構造にて構成すると共に、両払出装置を連結して組み合わせることによって設計、製造、及び組付けに際しての利便性を高めたパチンコ遊技機における球払出装置に関する。
【０００２】
【従来の技術】
貸球要求信号や賞球要求信号により作動して遊技球タンクから貸球や賞球を払い出す構成を備えたパチンコ遊技機は、従来から知られている（例えば、特公平７−７９８６６号公報）。
図６は、上記従来構成のパチンコ遊技機の背面図であり、このパチンコ遊技機１００は、外枠１０１と、外枠１０１内に着脱可能に配置された遊技盤１０２と、遊技盤１０２の裏面側に回動可能に支持される合成樹脂製の機構板１０３と、を備える。機構板１０３の裏面上部には遊技球タンク１０４が固定され、遊技球タンク１０４の下方には遊技球を整列して導き出す樋状の誘導通路１０５が設けられると共に、誘導通路１０５の下流側端部には遊技球の貸球払出装置１０６、賞球払出装置１０７が配置されている。誘導通路１０５の先端は点線で示すように２経路に分岐しており、一方の経路は貸球払出装置１０６の入球口に連通し、他方の経路は賞球払出装置１０７の入球口に連通している。
貸球払出装置１０６及び賞球払出装置１０７の下部に位置する排出口は、夫々下方に延びる排出通路を経て遊技機前面の球受皿と連通しており、貸球及び賞球を夫々同一の球受皿に導く。
この貸球払出装置１０６は、貸球要求信号が出力された場合に作動して貸球を球受皿に払い出す手段であり、図７の分解斜視図に示す如き構成を備えている。矢印方向から入球口１１０に進入してきた遊技球Ｂは、内部経路１１１を経て下方の排出口１１２から放出される。内部経路１１１の途中には回転羽根部材１１３が回転自在に軸支されており、フォトインタラプタ１１４が遊技球Ｂを検知することによって遊技球の通過数をカウントする。符号１１５は羽根部材１１３を回転駆動するモータである。
賞球払出装置１０７は入賞時に出力される賞球要求信号により作動して賞球を遊技機前面の球受皿に払い出すための手段であり、図８（ａ）（ｂ）に示すようにケース１２０内に前後位置関係で設けた２つの球通路１２１内に夫々羽根部材１２２を回転自在に支持し、羽根部材１２２をモータ１２３により回転駆動する構成を備え、各球通路１２１の入球側から入球した遊技球を回転する各羽根部材１２２の周面で受けて排出側へ安定して導くことを可能としている。ケース１２０内に２つの球通路１２１を並列配置したのはより多くの遊技球を処理するためである。
貸球払出装置１０６と賞球払出装置１０７とは、異なった構造を備えた別個の装置として構成され、夫々機構板１０３上に別個に組み付けられてはいるが、遊技球タンク１０４に収容された遊技球を、貸球と賞球を共に受ける球受皿に払出す点では排出先が共通している。
【０００３】
このように同一の遊技球タンク１０４から受けた遊技球を同一の球受皿に払出す構造であるにも拘わらず、従来、貸球払出装置１０６と賞球払出装置を別個に設けていた理由は、不正を防止するために球貸しと遊技球の払出を異なる装置にて処理すべきであるという提案がパチンコ業界からなされた経緯による。即ち、ＣＲ機と呼ばれるパチンコ遊技機にあっては、一つの遊技機が遊技者に対して貸球を払い出す機能と賞球を払い出す機能を兼ね備えているが、このような構成を有したＣＲ機にあっては、払出しに不正があった場合等に、球貸し側に不正があったのか、或いはゲーム側に不正があったのか判別困難となることが多い。その原因は、遊技球タンクから受皿に貸球を払い出す装置と、賞球を払い出す装置が同一であったことにある。このような事情から、球貸しと遊技球の払出を異なる装置としたＣＲ機が出回っている。
しかし、従来のＣＲ機にあっては、上述した如く貸球払出装置と賞球払出装置とを異なった部品群から成る異なった構造の装置としていたため、夫々異なった成形金型を用いて製造する必要があり、金型コストが増大する原因となっている。しかも、両装置を一つの機構板上に別個に配置していたため、製造コスト増や、遊技機自体のレイアウトの自由度低下という不具合が生じていた。
【特許文献１】特公平７−７９８６６号公報
【０００４】
【発明が解決しようとする課題】
このように従来のパチンコ遊技機において、貸球払出装置と賞球払出装置とを別個の装置として一つの遊技機内に組み込む場合には、両装置を異なった構造の部品群から構成する必要があったために、コスト増を招き、更に両装置を異なった位置に離間して配置していたため、遊技機のレイアウト自由度が低下するという不具合があった。また、貸球払出装置と賞球払出装置との部品単位での在庫管理が容易でなかった。
本発明は上記に鑑みてなされたものであり、貸球払出装置と賞球払出装置とを別個の装置として一つの遊技機内に組み込む場合に、両装置を同一構造且つ同一数の部品群から構成してコストダウンを図ると共に、両装置を連結一体化して使用することを可能としたパチンコ遊技機における球払出装置を提供するものである。
【０００５】
【課題を解決するための手段】
上記の課題を解決するため、請求項１の発明は、貸球要求信号により作動して貸球を払い出す貸球払出装置と、賞球要求信号により作動して賞球を払い出す賞球払出装置と、を備えたパチンコ遊技機において、前記貸球払出装置及び賞球払出装置は、夫々、一つのモータと、同形状且つ同数の部品群により構成され、前記貸球払出装置は、貸球が通過する第１の貸球通路と、該第１の貸球通路内に配置した貸球の払出機構部と、該第１の貸球通路とは独立し且つ賞球が通過する第１の賞球通路と、を備え、前記賞球払出装置は、賞球が通過する第２の賞球通路と、該第２の賞球通路内に配置した賞球の払出機構部と、該第２の賞球通路とは独立し且つ貸球が通過する第２の貸球通路と、を備えていることを特徴とする。
貸球、及び賞球として払い出される遊技球を収容した遊技球タンクから遊技機前面の受皿に貸球、或いは遊技球を払い出すための球払出装置の構成として、貸球払出装置と賞球払出装置を別体の構造とすることが求められる場合がある。このような場合に従来は貸球払出装置と賞球払出装置とを異なった形状、構造の部品群にて構成するのが一般的であった。しかし、両装置を異なった部品による異なった構造にすると、部品を成形するための金型コストが増大したり、部品の在庫管理が煩雑化するという不具合が生じる。
そこで、本発明では、貸球払出装置と賞球払出装置とを全く同形状、同数の部品群と、同形状のモータによって構成することによって、相互の互換性を確保することを可能とした。従って、モータの取り付け位置と払出機構部の向きを変更するだけで、一群の部品群を貸球払出装置と賞球払出装置の何れにも共通して使用することができ、金型コストを低減できる。また、部品の在庫管理も容易となる。
【０００６】
請求項２の発明は、請求項１において、前記貸球払出装置と前記賞球払出装置とを連結して、貸球払出装置に設けた第１の貸球通路と賞球払出装置に設けた第２の貸球通路とを連通させると共に、貸球払出装置に設けた第１の賞球通路と賞球払出装置に設けた第２の賞球通路とを連通させたことを特徴とする。
同一形状の部品群を組み付けることによって完成された貸球払出装置と賞球払出装置とを、所定の位置関係にて組み付けることにより、各装置内に設けた貸球通路同士、賞球通路同士が連通するので、遊技球タンク側から流下してきた遊技球を各通路に振り分けた上で、受皿へ払い出すことが可能となる。これにより、球払出装置の占有スペースが縮減され、遊技機のレイアウト自由度が高まる。
【０００７】
請求項３の発明は、請求項１又は２において、前記貸球払出装置は、前記第１の貸球通路及び第１の賞球通路を内部に有するとともに外部に前記モータを取り付けた第１のケースを備えており、前記賞球払出装置は、前記第２の賞球通路及び第２の貸球通路を内部に有すると共に外部に前記モータを取り付けた第２のケースを備えており、前記貸球及び賞球の払出機構部は、夫々、第１の貸球通路及び第２の賞球通路内に収容されると共に前記モータの出力軸に中心部を支持されて回転駆動される回転部材と、を備え、前記第１及び第２のケースには、夫々、前記第１の貸球通路、又は第２の賞球通路と並行に、第１の賞球通路、又は第２の貸球通路が貫通形成されていることを特徴とする。
貸球払出装置と賞球払出装置は、何れも同一構造の部品群から構成されているが、各装置のケースの外側に取り付けるモータの位置と、払出機構部の向きを異ならせることによって、用途に応じた構成の違いを出すことが可能となる。即ち、両装置は組み立てた状態において全く同一の構成ではなく、使用目的に応じた構造変更を行うことが可能となる。
【０００８】
請求項４の発明は、請求項１、２又は３において、前記第１及び第２のケースは、夫々、前記第１の貸球通路及び第１の賞球通路、又は、前記第２の賞球通路及び第２の貸球通路を形成するための凹所を備えたケース本体片と、前記第１の貸球通路又は第２の賞球通路となる凹所内に夫々前記払出機構部を収容した状態でこれを閉止するケース蓋片と、を備え、前記ケース本体片と前記ケース蓋片の各外側面には、夫々、前記モータを着脱自在に取り付けるモータ着座部を備えていることを特徴とする。
【０００９】
【発明の実施の形態】
以下、本発明を図面に示した実施の形態により詳細に説明する。
図１は本発明の一実施形態に係る球払出装置を備えたパチンコ遊技機の背面図であり、図２は球払出装置の正面図、図３はその縦断面図、図４（ａ）及び（ｂ）は本発明の一実施形態に係る球払出装置を構成する貸球払出装置の外観斜視図、及びその分解斜視図、図５（ａ）及び（ｂ）は本発明の一実施形態に係る球払出装置を構成する賞球払出装置の外観斜視図、及びその分解斜視図である。
パチンコ遊技機１は、外枠２と、外枠２内に着脱可能に配置された遊技盤３と、遊技盤３の裏面側に回動可能に支持される合成樹脂製の機構板４と、を備える。機構板４の裏面上部には遊技球タンク５が固定され、遊技球タンク５の下方には遊技球を整列して導き出す樋状の誘導通路６が設けられると共に、誘導通路６の下流側端部には遊技球の貸球払出装置７、賞球払出装置８が上下位置関係で密着して連結配置されている。誘導通路６の先端は２つの経路に分岐しており、一方の経路は貸球払出装置７に設けた第１の貸球通路に連通し、他方の経路は貸球払出装置７に設けた第１の賞球通路に連通している。貸球払出装置７と賞球払出装置８に夫々形成された球通路は連通しており、貸球払出装置７の上部から入球した遊技球は内部の球通路を経て賞球払出装置８の各排出口から下方へ排出される。この排出口は、下方に延びる排出通路９を経て遊技機前面の球受皿と連通しており、貸球及び賞球を夫々球受皿に導く。
この貸球払出装置７は、球貸し時に図示しない制御部から貸球要求信号が出力された場合に作動して貸球を球受皿に払い出す手段である。
賞球払出装置８は、入賞時に制御部から出力される賞球要求信号により作動して賞球を遊技機前面の球受皿に払い出すための手段である。
本発明の特徴的な構成の一つは、貸球払出装置７と賞球払出装置８とを、夫々一つのモータと、同一形状且つ同一数の部品群（互換性を有した部品群）により構成した点と、該部品群の一部の組付け順序を異ならせるだけで、該部品群を両払出装置に対して互換的に使用可能とした点にある。
【００１０】
図２及び図３にも示すように本発明の球払出装置２０は、同一形状の部品群から成る貸球払出装置７と賞球払出装置８とを上下位置関係で連結一体化した構成を備えている。
図３に示すように、貸球払出装置７は、貸球Ｂが通過する第１の貸球通路２１と、第１の貸球通路２１内に配置した貸球の払出機構部２２と、第１の貸球通路２１とは独立し且つ賞球Ｂが通過する第１の賞球通路２３と、を備えている。第１の貸球通路２１内には略半円形の拡開部２１ａがあり、この拡開部内には払出機構部２２を構成する羽根部材（回転部材）２５が回転自在に軸支されており、後述するモータによって回転駆動される。回転部材は、回転しながら遊技球を一つづつ払出すことができる機能を有した構成であれば必ずしも羽根部材２５である必要はなく、羽根部材２５に代えて図示しないスプロケット式の払出機構部材を採用してもよい。後述するようにモータは、貸球払出装置７の前後両外側面に対して着脱自在に構成されている。
図３に示すように、賞球払出装置８は、貸球払出装置７の第１の賞球通路２３と連通して賞球Ｂを通過させる第２の賞球通路４１と、第２の賞球通路４１内に配置した賞球の払出機構部４２と、貸球払出装置７の第１の貸球通路２１と連通し且つ第２の賞球通路４１とは独立し且つ貸球が通過する第２の貸球通路４３と、を備えている。第２の賞球通路４１内には略半円形の拡開部４１ａがあり、この拡開部内には払出機構部４２を構成する羽根部材４５が回転自在に軸支されており、後述するモータによって回転駆動される。後述するようにモータは、賞球払出装置８の前後両外側面に対して着脱自在に構成されている。
このように本発明の球払出装置２０では、貸球払出装置７と賞球払出装置８とを連結して、貸球払出装置７に設けた第１の貸球通路２１と賞球払出装置８に設けた第２の貸球通路４３とを連通させると共に、貸球払出装置７に設けた第１の賞球通路２３と賞球払出装置８に設けた第２の賞球通路４１とを連通させている。このため、遊技機裏面の機構板４上の同一位置に取り付けることができるので、他の部品等の取り付けスペース、レイアウトの確保上有利となる。
【００１１】
次に、図４（ａ）（ｂ）により貸球払出装置７の具体的な構成例を説明する。この貸球払出装置７は、モータ３０と、第１の貸球通路２１及び第１の賞球通路２３を内部に有するとともに外部にモータ３０を着脱自在に取り付けた第１のケース３１と、払出機構部２２を構成する羽根部材２５、軸２６ａ及び軸受２６ｂと、フォトインタラプタから成る払出計数スイッチ３２等を備えている。
第１のケース３１には、第１の貸球通路２１と並行に、第１の賞球通路２３が貫通形成されている。更に、第１のケース３１は、第１の貸球通路２１及び第１の賞球通路２３を形成するための凹所２１Ａ、２３Ａを備えたケース本体片３３と、第１の貸球通路２１となる凹所内に払出機構部２２を収容した状態でこれを閉止するケース蓋片３４と、を備えている。各ケース片３３、３４には軸２６ａ、及び軸受２６ｂを挿通、固定するための孔３３ａ、３４ａが形成されている。また、各ケース３３、３４の外側面には夫々モータ３０を着脱自在に支持してネジ等によって固定するためのモータ着座部３３ｂ、３４ｂが設けられている。
モータ３０、及びこれらの部品群は、図５に示した賞球払出装置８にも共通使用可能な互換性部品である。
これらの部品群を用いて貸球払出装置７を組み立てる際には、図４（ｂ）に示した如く、ケース本体片３３の外側面に設けたモータ着座部３３ｂに対してモータ３０を固定した状態で、第１の貸球通路２１の拡開部２１ａ内に位置する孔３３ａを介してモータ３０の出力部を軸２６ａの一端と固定すると共に、軸２６ａの中間部を羽根部材２５の中心孔２５ａと固定し、更に軸２６ａの他端部を軸受２６ｂによって回転自在に軸支する。軸受２６ｂは、孔３４ａ内に固定する。更に、払出計数スイッチ３２を組み込んだ状態でケース蓋片３４をケース本体片３３に対してネジ止め等によって固定することにより、貸球払出装置７の組立が完成する。
図４（ａ）（ｂ）のように貸球払出装置７として構成する場合には、羽根部材２５を収容する第１の貸球通路２１が遊技機背面側から見て左側に配置するようにケース片本体３３を背面側に配置する一方で、ケース蓋片３４は前面側に配置する。
【００１２】
次に、図５（ａ）（ｂ）により賞球払出装置８の具体的な構成例を説明する。この賞球払出装置８は、モータ５０と、第２の賞球通路４１及び第２の貸球通路４３を内部に有するとともに外部にモータ５０を着脱自在に取り付けた第２のケース５１と、払出機構部４２を構成する羽根部材４５、軸４６ａ及び軸受４６ｂと、フォトインタラプタから成る払出計数スイッチ５２等を備えている。
第２のケース５１には、第２の賞球通路４１と並行に、第２の貸球通路４３が貫通形成されている。更に、第２のケース５１は、第２の賞球通路４１及び第２の貸球通路４３を形成するための凹所４１Ａ、４３Ａを備えたケース本体片５３と、第２の貸球通路４１となる凹所４１Ａ内に払出機構部４２を収容した状態でこれを閉止するケース蓋片５４と、を備えている。各ケース片５３、５４には軸４６ａ、及び軸受４６ｂを挿通、固定するための孔５３ａ、５４ａが形成されている。また、各ケース片５３、５４の外側面には夫々モータ５０を着脱自在に支持してネジ等によって固定するためのモータ着座部５３ｂ、５４ｂが設けられている。
モータ５０、及びこれらの部品群は、図４に示した貸球払出装置７にも共通使用可能な互換性部品である。
これらの部品群を用いて賞球払出装置８を組み立てる際には、図５（ｂ）に示した如く、ケース蓋片５４の外側面に設けたモータ着座部５４ｂに対してモータ５０を固定した状態で、孔５４ａを介してモータ５０の出力部を軸４６ａの一端と固定すると共に、軸４６ａの中間部を羽根部材４５の中心孔４５ａと固定し、更に軸４６ａの他端部を軸受４６ｂによって回転自在に軸支する。軸受４６ｂは、第２の賞球通路４１の拡開部４１ａ内に位置する孔５３ａ内に支持する。更に、払出計数スイッチ５２を組み込んだ状態でケース本体片５３をケース蓋片５４に対してネジ止め等によって固定することにより、賞球払出装置８の組立が完成する。
図５（ａ）（ｂ）のように賞球払出装置８として構成する場合には、羽根部材４５を収容する第２の賞球通路４１が遊技機背面側から見て右側に配置するようにケース片本体５３を前面側に配置する一方で、ケース蓋片５４は背面側に配置する。
【００１３】
以上の構成において、図示しない制御部から貸球要求信号が出力された場合には貸球払出装置７が作動してモータ３０によって羽根部材２５を回転させるので、遊技球タンク５から誘導通路６に充填されている遊技球を第１、第２の貸球通路２１、４３を介して受皿側へ払い出すことができる。この際、払出計数スイッチ３２によって遊技球の数がカウントされる。
また、図示しない制御部から賞球要求信号が出力された場合には賞球払出装置８が作動してモータ５０によって羽根部材４５を回転させるので、遊技球タンク５から誘導通路６に充填されている遊技球を第１、第２の賞球通路２３、４１を介して受皿側へ払い出すことができる。この際、払出計数スイッチ５２によって遊技球の数がカウントされる。
このように本発明の球払出装置にあっては、貸球払出装置７と賞球払出装置８とを同一構成の部品から構成し、しかも必要に応じてモータの取り付け位置を変更するだけで、各部品群を両装置に互換的に適用することができる。従って、貸球払出装置７と賞球払出装置８を異なった構成としていた従来の球払出装置に比して、部品を成形するための金型費用を大幅に低減することができる。また、貸球払出装置７と賞球払出装置８とは部品単位での互換性があるので、部品単位での在庫管理が容易となる。
【００１４】
【発明の効果】
以上のように本発明によれば、貸球払出装置と賞球払出装置とを別個の装置として一つの遊技機内に組み込む場合に、両装置を同一構造且つ同一数の部品群から構成してコストダウン、在庫管理の容易化を実現すると共に、両装置を連結一体化して使用することにより、球払出装置のコンパクト化を実現できる。
【図面の簡単な説明】
【図１】本発明の一実施形態に係る球払出装置を備えたパチンコ遊技機の背面図。
【図２】本発明の一実施形態に係る球払出装置の正面図。
【図３】図２の縦断面図。
【図４】（ａ）及び（ｂ）は本発明の一実施形態に係る球払出装置を構成する貸球払出装置の外観斜視図、及びその分解斜視図。
【図５】（ａ）及び（ｂ）は本発明の一実施形態に係る球払出装置を構成する賞球払出装置の外観斜視図、及びその分解斜視図。
【図６】従来構成のパチンコ遊技機の背面図。
【図７】従来の貸球払出装置の分解斜視図。
【図８】（ａ）及び（ｂ）は従来の賞球払出装置の斜視図、及び断面図。
【符号の説明】
１  パチンコ遊技機、２  外枠、３  遊技盤、４  機構板、５  遊技球タンク、６  誘導通路、７  貸球払出装置、８  賞球払出装置、９  排出通路、２０  球払出装置、２１  第１の貸球通路、２２  貸球の払出機構部、２３  第１の賞球通路、２５  羽根部材、３０  モータ、３１  第１のケース、３２  払出計数スイッチ、３３  ケース本体片、３４  ケース蓋片、４１  第２の賞球通路、４２  賞球の払出機構部、４３  第２の貸球通路、４５  羽根部材、５０  モータ、５１  第２のケース、５３  ケース本体片、５４  ケース蓋片。
【図１】
2004329506.tif 000003
【図２】
2004329506.tif 000004
【図３】
2004329506.tif 000005
【図４】
2004329506.tif 000006
【図５】
2004329506.tif 000007
【図６】
2004329506.tif 000008
【図７】
2004329506.tif 000009
【図８】
2004329506.tif 000010